(57)【要約】【課題】うなりの低減が可能なアンテナ用コイル装置を提供する。【解決手段】アンテナ用コイル装置１０は、導線を巻回した巻線コイル１６と、巻線コイル１６の内部に挿通配置された磁性コア１７と、巻線コイル１６の一端部が接続される導電性のコネクタ端子１３と、巻線コイル１６の他端部が接続される実装面を有する実装端子１４とを備える。さらに、アンテナ用コイル装置１０は、巻線コイル１６を載置する載置面１９を有する本体部を備えた樹脂部材１５とから構成される。そして、アンテナ用コイル装置１０は、巻線コイル１６の表面全域に塗布された樹脂２４を備える。【選択図】図３
2009118270.tif 000002
【特許請求の範囲】
【請求項１】
導線を巻回した巻線コイルと、
前記巻線コイルの内部に挿通配置された磁性コアと、
前記巻線コイルの一端部が接続される導電性のコネクタ端子と、
前記巻線コイルの他端部が接続される実装面を有する実装端子と、
前記実装端子及びコネクタ端子が取り付けられるとともに、前記巻線コイルを載置する載置面を有する本体部を備えた樹脂部材と、から構成されるアンテナ用コイル装置であって、
前記巻線コイルと前記樹脂部材との接着部を除き、前記巻線コイルの表面を覆うように塗布された樹脂を備える
ことを特徴とするアンテナ用コイル装置。
【請求項２】
前記樹脂部材は、本体部の前記巻線コイルを載置する面に形成された溝部を備えることを特徴とする請求項１に記載のアンテナ用コイル装置。
【請求項３】
前記溝部が、前記巻線コイルの軸線と平行な方向に形成されていることを特徴とする請求項１に記載のアンテナ用コイル装置。
【発明の詳細な説明】
【技術分野】
【０００１】
本発明は、例えば電波信号に重畳するノイズを除くために好適に用いられるアンテナ用コイル装置に関するものである。
【背景技術】
【０００２】
従来、自動車のリアウィンドウにアンテナ線を配して、自動車内でラジオ放送やテレビ放送等を受信できる自動車用ガラスアンテナが提供されている。自動車のリアウィンドウには、デフォッガの加熱線や、加熱線の周辺部にアンテナ線条が配されている。そして、リアウィンドウに配された加熱線やアンテナ線条を受信アンテナとして、ラジオ放送やテレビ放送等を受信することができる。
【０００３】
ところで、自動車用ガラスアンテナが受信したラジオ放送やテレビ放送等の電波信号に、ノイズ成分が重畳されることがある。ノイズ成分が重畳される原因の一つとして、車載バッテリが出力する電力の影響が挙げられる。この電力は、デフォッガの加熱線を加熱するために出力するものである。逆に、デフォッガの加熱線によって受波された電波信号（ノイズ成分）が、給電線を通じて車体や直流電源側に漏洩することで不具合が発生することもある。
【０００４】
そのため、自動車のリアウィンドウに発生する曇りを防止する加熱線条と、車載バッテリ等の直流電源との間に、ノイズを除くアンテナ用コイル装置を接続していた。アンテナ用コイル装置は、自動車用ガラスアンテナが受信した電波信号に重畳されたノイズを除去し、電波信号の受信感度を向上させるために、固有の自己共振周波数を利用する。そして、信号電波の周波数帯域に合わせて高いインピーダンスを発生させ、電波信号に重畳するノイズを取り除く。
【０００５】
自動車のリアウィンドウに配する複数本の加熱線条は、バスバーで端部がまとめてある。そして、バスバーと車体との間、又はバスバーと直流電源との間のインピーダンスを高くして漏洩する電流を抑えている。さらに、アンテナが受信した電波信号が、デフォッガ用の給電線から車体へ漏洩することを防ぐ必要がある。このため、樹脂部材等により保持したコイルを、ハンダ付け等によりバスバー上に接続し、固定していた。
【０００６】
特許文献１には、ノイズを減衰させるアンテナ用コイル装置（チョークコイルとも称する。）１００について開示されている。ここで、図９を参照して、ガラスアンテナに用いられるアンテナ用コイル装置１００の構成例について説明する。アンテナ用コイル装置１００は、銅線を筒状に巻回したコイル１０１にＮｉ−Ｚｎ系の円柱状の磁芯１０２を挿入してある。そして、ベース部１０３とベース補助部１０４で構成される樹脂製の固定台に設けられた、金属端子板１０５と金属板１０６にコイル１０１の両端を接続する。金属端子板１０５と金属板１０６との間には、板状の誘電体１０７が挿入される。
【０００７】
【特許文献１】特開平９−２１３５２８号公報
【発明の開示】
【発明が解決しようとする課題】
【０００８】
ところで、上述のアンテナ用コイル装置に適用する磁性コアに、例えばソフトフェライトを使用した場合、電流を流していない状態ではソフトフェライトを構成する磁性体の磁化の方向が不均一であり、磁性体全体では該磁化が相互に打ち消しあう状態にある。しかし、巻線コイルに電流を流すことにより磁性体の磁化の方向が均一となる。この結果、コイル装置全体が磁性を持ち、インダクタンスやインピーダンスが発生する。
【０００９】
しかしながら、上述のアンテナ用コイル装置に交流電流を流した場合、磁化の方向が微小時間内に反転し、磁性体が結晶単位で振動する。この結晶単位の振動が拡大すると、磁性体を含むコイル全体が微小運動をする。この結果、コイル装置から金属音のような音（オルタネーターノイズ）、いわゆるうなりが発生してしまう。
このうなりは、磁性コアと磁性コアを覆う巻線コイルの間の振動や、磁性コア単体の振動により発生すると考えられる。また、アンテナ用コイル装置を自動車のリアウィンドウに搭載した場合には、巻線コイルとリアウィンドウとの共振によりうなりが発生すると考えられる。
【００１０】
上述した問題の解決のため、本発明においては、うなりの低減が可能なアンテナ用コイル装置を提供するものである。
【課題を解決するための手段】
【００１１】
本発明のアンテナ用コイル装置は、導線を巻回した巻線コイルと、巻線コイルの内部に挿通配置された磁性コアと、巻線コイルの一端部が接続される導電性のコネクタ端子と、巻線コイルの他端部が接続される実装面を有する実装端子と、実装端子及びコネクタ端子が取り付けられるとともに、巻線コイルを載置する載置面を有する本体部を備えた樹脂部材と、から構成されるアンテナ用コイル装置であって、巻線コイルと樹脂部材との接着部を除き、巻線コイルの表面を覆うように塗布された樹脂を備えることを特徴とする。
【発明の効果】
【００１２】
本発明によれば、アンテナ用コイルによって発生するうなりを低減することができる。
【発明を実施するための最良の形態】
【００１３】
以下、本発明の第１の実施形態例に係るアンテナ用コイル装置について、図１〜図８を参照して説明する。本例では、受信するラジオ放送やテレビ放送等の電波信号に重畳するノイズをとり除くことができるアンテナ用コイル装置に適用した例として説明する。
【００１４】
ラジオ放送又はテレビジョン放送を受信する受信システム１は、図示しない自動車の、リアウィンドウ２に構成している。リアウィンドウ２には、ラジオ放送を受信するラジオアンテナ線９と、テレビジョン放送を受信するテレビアンテナ線５が敷設される。ラジオアンテナ線９には、ラジオアンテナ線９が受信したラジオ信号を増幅する増幅器６が接続される。増幅器６が増幅する電波信号は、図示しないラジオ受信機に供給される。
【００１５】
自動車は、直流電源を供給する車載バッテリ４を備える。テレビアンテナ線５は、リアウィンドウ２の曇りを防ぐデフォッガ用給電線の機能を兼ねている。テレビアンテナ線５は、車載バッテリ４から供給される電力によって加熱され、リアウィンドウ２全体を暖め、リアウィンドウ２の曇りを防ぐ。ノイズを取り除くアンテナ用コイル装置１０は、リアウィンドウ２の左右端部に配される。
【００１６】
バッテリ４は、アンテナ用コイル装置１０を介して、バスバー３ｂに接続している。バスバー３ｂは、テレビアンテナ線５の一端に接続される。バスバー３ｂには、バッテリ４から供給される電力を、複数のテレビアンテナ線５に均等に与える機能がある。テレビアンテナ線５の他端には、バスバー３ａが接続される。バスバー３ａには、ノイズを取り除くアンテナ用コイル装置１０が接続される。
【００１７】
テレビアンテナ線５には、テレビアンテナ線５が受信したテレビ信号を増幅する増幅器７が接続される。増幅器７は、バスバー３ａとバスバー３ｂに接続している。増幅器７が増幅したテレビ信号は、図示しないテレビジョン受像機に供給される。
【００１８】
図２は、自動車の内部から左後方を視認した場合における、アンテナ用コイル装置１０を自動車のリアウィンドウに搭載例を示した図である。
【００１９】
図２（ａ）は、リアピラー用内装パネルが装着された状態におけるリアウィンドウ周辺部の構成例を示す。自動車の内部筐体は、リアウィンドウ２，リアサイドウィンドウ８，ルーフ９，リアピラー２０で構成されている。バスバー３ａには、アンテナ用コイル装置１０が取り付けてある。リアピラー２０は、内部部品等を保護するリアピラー用内装パネル２１で覆われている。一般的に、リアピラー（バスバーを含む。）と、リアピラーに取り付けられるアンテナ用コイル装置とは、美観に係る配慮等の理由から、内装パネルに覆われる構成とされる。そして、自動車に搭乗する乗員の移住性を少しでも向上させるべく、アンテナ用コイル装置１０とリアピラー用内装パネル２１との隙間は狭く設定されている。
【００２０】
図２（ｂ）は、リアピラー用内装パネル２１が取り外された状態におけるリアウィンドウ周辺部の構成例を示す。アンテナ用コイル装置１０は露出した状態としてある。図２（ｂ）より、リアウィンドウ２のウィンドウ枠に相当する箇所に、アンテナ用コイル装置１０が実装されていることが分かる。ここで、アンテナ用コイル装置１０が実装される周辺領域を領域１１とする。
【００２１】
図２（ｃ）は、領域１１（図２（ｂ）参照）を拡大視した例を示す。バスバー３ａには、アンテナ用コイル装置１０が取り付けてある。ここで、アンテナ用コイル装置１０を構成する各部の詳細な構成例は、後述する図３と図４を参照して説明するため、図２（ｃ）では、簡単な説明にとどめる。アンテナ用コイル装置１０は、磁性コアである磁性コア１７に導線を巻回した巻線コイル１６を、樹脂材料で形成された樹脂部材１５上に載置して形成される。樹脂部材１５に取り付けられたコネクタ端子１３には、コネクタ２２が接続される。そして、コネクタ２２に接続してあるハーネス線のコネクタハーネス２３によって接地、または他の電子機器へ接続される。樹脂部材１５は、第１の実装面１４ａ，第２の実装面１４ｂを有する実装端子上にはめ込まれる部材である。
【００２２】
次に、本例のアンテナ用コイル装置１０の構成例について、図３の斜視図を参照して説明する。
【００２３】
アンテナ用コイル装置１０は、リアウィンドウ２（図１参照）の右端部（バスバー３ａ）に設置する導電性の実装端子１４を備える。実装端子１４は、導電性の平板を打ち抜き、折り曲げ加工して形成される端子である。実装端子１４には、平板状の本体部１４ｃが形成される。本体部１４ｃには、非導電性かつ非磁性樹脂で形成された樹脂部材１５が取り付けられる。本体部１４ｃの両端部には、第１の支持部１４ｄと第２の支持部１４ｅが形成される。第１の支持部１４ｄと第２の支持部１４ｅは、本体部１４ｃに対して、同じ方向にほぼ直角に折り曲げてある。
【００２４】
リアウィンドウ２に実装するための平面部である第１の実装面１４ａは、第１の支持部１４ｄを介して本体部１４ｃに連接してある。第１の実装面１４ａは、第１の支持部１４ｄに対して、ほぼ直角に折り曲げてある。このため、第１の実装面１４ａの平面部は、本体部１４ｃの平面部に対して外側に、ほぼ同じ向きのクランク形状となる。そして、第１の支持部１４ｄは、第１の実装面１４ａの中心線１８ａの延長線上に連接される。
【００２５】
リアウィンドウ２に実装するための平面部である第２の実装面１４ｂは、第２の支持部１４ｅを介して本体部１４ｃに連接してある。第２の実装面１４ｂは、第２の支持部１４ｅに対して、ほぼ直角に折り曲げてある。このため、第２の実装面１４ｂの平面部は、本体部１４ｃの平面部に対して外側に、ほぼ同じ向きのクランク形状となる。そして、第２の支持部１４ｅは、第２の実装面１４ｂの中心線１８ｂの延長線上に連接される。さらに、第２の支持部１４ｅと同じ側には、導線を係合するための第２の絡げ部１２が形成される。
実装端子１４の本体部１４ｃには、樹脂部材１５が嵌合によって固定されている。
【００２６】
樹脂部材１５には、円柱状の磁性コア１７に、所望の巻数で導線を巻回した巻線コイル１６が接着剤等によって固定されている。巻線コイル１６は、樹脂部材１５との接着部を除き、表面を覆うように樹脂２４が塗布されている。そして、この樹脂２４により巻線コイル１６全体が封止されている。樹脂部材１５と巻線コイル１６とは、この樹脂２４により強固に接着される。
樹脂部材１５の一端には、導電性のコネクタ端子１３を接続するためにコネクタ端子接続部１５ａが形成されている。コネクタ端子接続部１５ａは、コネクタ端子１３が取り付けられる側の樹脂部材１５の端部に突部として形成されている。そして、コネクタ端子接続部１５ａには、巻線コイル１６に巻回される導線の直径とほぼ同じ大きさの幅と深さの第１の溝部１５ｃが形成されている。コネクタ端子１３は、コネクタ端子接続部１５ａに嵌合によって固定される。コネクタ端子１３には、外部機器の導線（コネクタ２２）と接続するためのコネクタ接続部１３ａが形成される。コネクタ接続部１３ａの幅広面は、第１の実装面１４ａの幅広面に対してほぼ直交に配置されている。
【００２７】
巻線コイル１６に巻回する導線の一端は、第１の溝部１５ｃを介して、コネクタ端子１３に形成した第１の絡げ部１３ｂに係合される。巻線コイル１６に巻回する導線の他端は、実装端子１４を折り曲げ加工した第２の絡げ部１２に係合される。
【００２８】
次に、本例のアンテナ用コイル装置１０を部品毎に分解した例について、図４を参照して説明する。図４において、既に説明した図３に対応する部分には同一符号を付し、詳細な説明を省略する。
【００２９】
図４（ａ）は、アンテナ用コイル装置１０から巻線コイル１６を取り外し、コネクタ端子１３と、実装端子１４と、樹脂部材１５だけを組み合わせた構成例を示す斜視図である。図４（ｂ）は、実装端子１４の構成例を示す斜視図である。図４（ｃ）は、コネクタ端子１３の構成例を示す斜視図である。図４（ｄ）は、樹脂部材１５の構成例を示す斜視図である。
【００３０】
図４（ａ）より、樹脂部材１５には、巻線コイル１６（図３参照）を載置する載置面１９が設けられる。載置面１９は、載置する巻線コイル１６外周面に沿わせた凹部として形成される面である。また、樹脂部材１５の短手方向において、載置面１９の両脇に溝部２５が設けられる。溝部２５は、載置面１９の一部において、搭載される巻線コイル１６の軸線方向と平行な方向に凹部が形成されて構成される。また、樹脂部材１５の長手方向において、載置面１９の両脇に、載置面１９よりも低く形成された樹脂導入部２７が形成される。
なお、載置面１９、溝部１５、及び、樹脂導入部２７の詳細な構成例については、後述する。
【００３１】
図４（ｂ）より、実装端子１４は、１枚の導電性材料で形成されることが示される。実装端子１４は、打ち抜いた平板状の導電性材料を、折り曲げ加工して形成される部材である。
【００３２】
図４（ｃ）より、コネクタ端子１３には、樹脂部材１５に接続するための樹脂部材接続部１３ｃが形成されることが示される。樹脂部材接続部１３ｂ（コネクタ端子１３）は、矢印Ｂに沿って樹脂部材１５の挿入孔１５ｂ（図４（ｄ）参照）に挿入され、嵌合によって固定される。そして、コネクタ端子１３は、向きを１８０度入れ替えて樹脂部材１５に接続することが可能である。
【００３３】
図４（ｄ）より、コネクタ端子接続部１５ａには、コネクタ端子１３を接続するための挿入孔１５ｂが形成されることが示される。また、コネクタ端子接続部１５ａには、第１の溝部１５ｃと左右対称の位置に、第２の溝部１５ｄが形成されることが示される。第１の溝部１５ｃと同様に、第２の溝部１５ｄの幅と深さも、巻線コイル１６を形成する導線の直径とほぼ同じ大きさとしてある。第２の溝部１５ｄが形成してあることにより、第１の溝部１５ｃまたは第２の溝部１５ｄのいずれにも巻線コイル１６の一方の端部を沿わせて、第１の絡げ部１３ｂに係合することができる。このため、アンテナ用コイル装置１０の仕様に応じて、巻線コイル１６の導線の巻回ターンを０．５ターンずつ変えて載置することが可能となる。
【００３４】
次に、上述の巻回コイル１６に塗布された樹脂２４の作用について説明する。
アンテナ用コイル１０に使用される巻線コイル１６は、磁性コア１７と、磁性コア１７に巻回された導線からなる。磁性コア１７は例えばソフトフェライトにより構成される。
ソフトフェライトは、通常ソフトフェライト内を構成する磁性体の結晶が有する磁化の方向が不均一な状態にある。このため、磁性コア１７は、巻線コイル１６に電流を流していない状態では、均一方向への磁性を有していない。
【００３５】
そして、巻線コイル１６に電流を流した場合、又は電流値に突発的な変動が起こった場合、巻回コイル１６に発生する磁束により、磁性コア１７を構成するソフトフェライト内の各結晶の磁化の方向が同じ方向を向く。
この結果、上述のアンテナ用コイル装置１０にインダクタンスやインピーダンスが発生する。例えば、自動車用ガラスアンテナが受信する電波信号の受信感度を向上させるため、信号電波の周波数帯に合わせて高いインピーダンスを発生させて、回路内の信号に重畳するノイズを取り除くことができる。
【００３６】
上述のアンテナ用コイル装置に、受信電波等による交流電流が流された場合には、巻線コイル１６によって発生する磁束の向きが微小時間内に反転する。この磁束の反転にあわせて、磁性コア１７を構成するソフトフェライト内の各磁性体の磁化の方向も、微小時間内に反転する。
この磁性体の磁化の反転により、ソフトフェライト内では結晶単位で振動が起きる。
この各結晶の振動が拡大すると、磁性コア１７を含むアンテナ用コイル装置１０全体に微小運動が発生する。
磁性コアと、磁性コアを覆う巻線コイルとで振動が発生することにより、また、磁性コア単体の振動により、コイル装置から金属音のような音（オルタネーターノイズ）、いわゆるうなりが発生する。
【００３７】
そこで、上述のアンテナ用コイル装置１０により発生するうなりを低減するため、巻線コイル１６の表面に樹脂２４を塗布する。巻線コイル１６の表面に樹脂２４を塗布することにより、アンテナ用コイル装置１０の共振周波数が変化する。そして、例えばアンテナ用コイル装置１０を搭載したリアウィンドウにおいて、共振周波数を人間の可聴域から変化させ、うなりを解消することができる。また、アンテナ用コイル装置１０を備えたリアウィンドウが搭載された自動車において、共振周波数を人間の可聴域から変化させ、うなりを解消することができる。
【００３８】
また、上述のうなりは、異形部品同士の接触部分で発生する可能性が高い。従って、共振周波数を変化させるためには、この異形部品同士の接触部分に塗布することが効果的である。
上述のアンテナ用コイル装置１０では、磁性コア１７と、磁性コア１７に巻回された導線との間で、大きなうなりが発生する。従って、巻線コイル１６の表面全域に樹脂２４を塗布する。
また、巻線コイル１６の表面から樹脂部材１５の一部まで及ぶように樹脂２４を塗布することにより、巻線コイル１６と樹脂部材１５との固定強度を高めることができる。
【００３９】
樹脂を全体に塗布しない場合には、共振周波数を充分に変化させることができない可能性がある。特に、リアウィンドウや自動車にアンテナ用コイル装置１０を搭載した場合には、リアウィンドウや自動車も含めて全体の共振周波数がうなりの発生に影響を与える。このため、リアウィンドウや自動車も含めた全体の共振周波数を、巻線コイル１６に塗布する樹脂２４によって変化させる必要がある。
【００４０】
上述のように、巻線コイル１６の一部への樹脂の塗布では、リアウィンドウや自動車も含めた全体の共振周波数を、うなりが解消できるまで充分に変化させることができない場合がある。従って、リアウィンドウや自動車にアンテナ用コイル装置１０を搭載する場合にうなりを解消するためには、巻線コイル１６のうち、樹脂部材１５と接着固定された部位を除いた表面全域に樹脂２４を塗布する。
【００４１】
図３に示すアンテナ用コイル装置１０は、以下の工程で製造することができる。
まず、磁性コア１７に導線を所定の巻数で巻回して巻線コイル１６を形成する。次に、射出成形等によって形成した樹脂部材１５の所定の位置に、この巻線コイル１６を載置する。巻線コイル１６を樹脂部材１５に載置する際には、接着剤により、巻線コイル１６と樹脂部材１５とを仮固定する。次に、樹脂部材１５に載置された状態の巻線コイル１６の表面に樹脂２４を塗布する。この塗布は、まずディスペンサ等によって、樹脂２４を巻線コイル１６の上部に吐出する。吐出された樹脂２４が巻線コイル１６の表面において上部から下部までに行き渡ることにより、巻線コイル１６表面の全域に樹脂２４を塗布することができる。この後、樹脂２４が熱硬化性である場合には、アンテナ用コイル装置１０を加熱して樹脂２４を硬化する。
【００４２】
また、接着剤による仮固定を巻線コイル１６に塗布される樹脂２４により行い、樹脂２４の塗布と仮固定とを同時に行うこともできる。この場合には、樹脂部材１５に巻線コイル１６を載置し、載置した状態で樹脂２４を塗布する。この方法により、巻線コイル１６に塗布する樹脂２４と、仮固定用の接着剤を兼用することができる。
仮固定用の接着剤としては、少量で仮固定が可能な強い接着力を有するものが好ましい。また、樹脂２４としては、巻線コイル１６の上部に吐出された後、巻線コイル１６の側面から下部にかけて自動的に流動する程度の粘度であることが好ましい。さらに、硬化後の特性が柔軟なものが好ましく、樹脂の硬化により巻線コイル１６に応力が発生しないものが適切である。
巻線コイル１６は磁性体であるため、樹脂２４の硬化により応力が加わるとインピーダンス等の特性が変化してしまう。このため、アンテナ用コイル装置１０のノイズフィルタとしての特性が低下し、電波信号に重畳されたノイズを取り除くことができない。
【００４３】
樹脂２４としては、シリコン系の接着剤、ゴム系の接着剤、エポキシ樹脂系の接着剤等を使用することができる。樹脂２４として接着剤を使用することにより、うなりの解消とともに巻線コイル１６と樹脂部材１５とを接着することができる。
【００４４】
なお、上述の工程において樹脂部材１５が溝部２５を備えていないと、樹脂２４の塗布する樹脂の量が多い場合、図５に示すように、塗布した樹脂が矢印２６のように巻線コイルの表面を上方から下方に流れ、載置面１９上に未硬化の樹脂２４Ａが溜まる。また、樹脂２４が熱硬化性樹脂である場合には、硬化の際にかかる熱により、硬化前の樹脂２４の粘度が低下する。このため、樹脂部材１５の載置面１９に流れ落ちる樹脂２４Ａの量が多くなる。
【００４５】
この樹脂２４Ａが図５に示す状態で硬化した場合には、載置面１９上に溜まる樹脂の量が多いため、硬化収縮により巻線コイル１６にかかる応力が大きくなる。そして、巻線コイル１６が磁性体であるため、載置面１９において樹脂２４Ａの硬化により大きな応力が加わるとインピーダンス等の特性が変化してしまう。この結果、アンテナ用コイル装置１０のノイズフィルタとしての特性が低下するため、電波信号に重畳されたノイズを取り除くことができない。
【００４６】
このため、図６に示すように樹脂部材１５の載置面１９に溝部２５が必要となる。溝部２５を形成することにより、未硬化の樹脂２４Ａが溝部２５内に流れ込む。このため、図５に示した未硬化の樹脂２４Ａのように、載置面１９上に樹脂が溜まらず、樹脂の硬化収縮による応力が巻線コイル１６に影響を与えない。また、樹脂部材１５の載置面１９上に余分に樹脂が溜まることにより、アンテナ用コイル装置の製品的な美観が失われない。
【００４７】
溝部２５は、巻線コイルの表面から載置面１９に流れ落ちる樹脂量を予め想定しておき、その樹脂の量以上の容積を設定しておくことが望ましい。流れ落ちる樹脂の量以上の容積が有れば、巻線コイルから流れ落ちた樹脂が溝部２５内に溜まり巻線コイル１６と接触しない。このため、樹脂の硬化収縮による巻線コイルの特性へ影響をなくすことができる。
また、溝部２５の容積が巻線コイルから流れ落ちる樹脂の量よりも小さい場合、巻線コイルの表面から載置面１９に流れた樹脂が、溝部２５から外部に溢れる。しかし、この場合にも、溝部から溢れた樹脂が載置面１９上で巻線コイルと接触しなければ硬化収縮による巻線コイルの特性に影響を与えない。このため、溝部２５の容積は、少なくとも巻線コイル表面から流れた樹脂が溝部２５外に溢れた場合にも、載置面１９上で巻線コイルと接触しない程度の量に、溢れる樹脂の量を抑えられる大きさが必要となる。
なお、溝部２５の容積が、巻線コイル１６に塗布される樹脂の量以上であれば、溝部２５から溢れることがない。このため、溝部２５の容積は、巻線コイル１６に塗布される樹脂の量以下とすることができる。
【００４８】
次に、図７（ａ）〜（ｄ）を用いて樹脂部材１５に形成される溝部２５の形状について説明する。
図７（ａ）は、図４（ｄ）に示した樹脂部材１５の載置面１９側からの面の平面図であり、図７（ｂ）は、図７（ａ）に示した樹脂部材１５のＡ−Ａ´断面図である。
また、図７（ｃ）は、図７（ａ）とは異なる形状の溝部２５を形成した樹脂部材１５の平面図であり、図７（ｄ）は、図７（ｃ）に示した樹脂部材１５のＢ−Ｂ´断面図である。
また、図７（ａ），（ｃ）において、樹脂部材１５に載置される巻線コイルの軸線を一点鎖線１６ａで示す。
【００４９】
溝部２５は、例えば、図７（ａ）（ｃ）に示すように、載置面１９において巻線コイルの軸線１６ａと平行な方向に形成される。
図７（ａ），（ｂ）に示す樹脂部材１５では、樹脂部材１５の中央に巻線コイル１６の載置面１９を備え、載置面１９の両脇に凹部が形成されて溝部２５が構成される。
また、図７（ｃ），（ｄ）に示す樹脂部材１５は、中央に溝部２５を備え、溝部２５の両脇に載置面１９が形成される。
さらに、図７に示した樹脂部材１５は、樹脂部材１５の長手方向であって載置面１９の両脇に、樹脂導入部２７を備える。樹脂導入部２７は、載置面１９よりも低く形成される。また、樹脂導入部２７は、載置面１９と溝部２５の両方に接して構成され、巻線コイル１６の表面から流れ落ちた樹脂２４が、樹脂導入部２７を経て溝部２５へ誘導されるよう構成されている。
【００５０】
巻線コイルに塗布された未硬化の樹脂は、巻線コイルの側面を伝わって樹脂部材１５に流れるため、図７（ａ），（ｃ）で示すように、巻線コイルの軸線１６ａと平行な方向に溝部２５を形成することにより、溝部２５内に樹脂が流れ込みやすい。
また、図６において矢印２６で示したように、硬化前の樹脂はコイル表面を伝わって落ちる。このため、載置面１９の両脇に溝部２５が備えた図７（ａ），（ｂ）に示す形状の樹脂部材１５を用いることにより、溝部２５に未硬化の樹脂が流れ込みやすい。
【００５１】
また、巻線コイルの軸線と平行な方向に形成された溝部のみでは、容積が足りない場合には、例えば図８に示すように、巻線コイルの軸線と平行な方向に形成された溝部２５と、それ以外の形状の溝部２５ａを組み合わせることができる。
図８（ａ），（ｃ）は、樹脂部材１５の載置面１９側からの面の平面図である。また、図８（ｂ）は、図８（ａ）に示した樹脂部材１５のＣ−Ｃ´断面図であり、図８（ｄ）は、図８（ｃ）に示した、Ｄ−Ｄ´断面図である。また、図８（ａ），（ｃ）において、樹脂部材１５に載置される巻線コイルの軸線を一点鎖線１６ａで示す。
【００５２】
図８（ａ），（ｂ）に示す樹脂部材１５では、図７（ａ）に示した樹脂部材１５に設けられた、巻線コイルの軸線１６ａと平行な方向の溝部２５に加え、載置面１９の中央に、巻線コイルの軸線１６ａと垂直な方向の溝部２５ａが設けられている。
図８（ｃ），（ｄ）に示す樹脂部材１５では、図７（ａ）に示した樹脂部材１５に設けられた、巻線コイルの軸線１６ａと平行な方向の溝部２５に加え、載置面１９の両端に、巻線コイルの軸線１６ａと垂直な方向の溝部２５ａが設けられている。
さらに、図８に示した樹脂部材１５は、樹脂部材１５の長手方向の載置面１９の両端部に樹脂導入部２７を備える。この樹脂導入部２７は、上述の図７に示す樹脂導入部２７と同様に構成される。
このように、巻線コイルの軸線１６ａと平行な方向の溝部２５に加え、巻線コイルの軸線１６ａと垂直な方向の溝部２５ａを設けることにより、巻線コイルからの樹脂が溝部２５に流れ込みやすく、さらに溝部２５の容積をより大きくすることができる。
【００５３】
なお、溝部２５は、上述の巻線コイルの軸線と平行な方向に形成される以外にも、載置面１９において樹脂が流れ込むことができる形状であれば特に限定されない。載置面１９と溝部との関係、巻線コイルと樹脂量との関係などから適宜設計変更して樹脂部材１５を形成することができる。
また、樹脂導入部の構成は、溝部へ樹脂が誘導されやすい形状であれば特に限定されない。また、樹脂導入部がない場合でも、樹脂が巻線コイルから溝部へ流れ落ちれば、樹脂導入部を構成しなくてもよい。
【００５４】
本発明は、上述の構成に限定されるものではなく、本発明の要旨を逸脱しない範囲でその他様々な構成が取り得る。
【図面の簡単な説明】
【００５５】
【図１】本発明の第１の実施形態例に係るアンテナ用コイル装置の配置例を示した構成図である。
【図２】（ａ）〜（ｃ）は、本発明の第１の実施形態例に係るアンテナ用コイル装置をリアピラーに配置した場合の構成図である。
【図３】本発明の第１の実施形態例に係るアンテナ用コイル装置を示した斜視図である。
【図４】（ａ）〜（ｃ）は、本発明の第１の実施形態例に係るアンテナ用コイル装置を構成する各部の部分組立図である。
【図５】従来のアンテナ用コイル装置のおける樹脂溜まりを説明するための図である。
【図６】本発明の第１の実施形態例に係るアンテナ用コイル装置の断面図である。
【図７】（ａ）,（ｃ）は、本発明の第１の実施形態例に係るアンテナ用コイル装置に形成される溝部の形状を説明する樹脂部材の平面図である。（ｂ）,（ｄ）は、アンテナ用コイル装置に形成される溝部の形状を説明する樹脂部材の断面図である。
【図８】（ａ）,（ｃ）は、本発明の第１の実施形態例に係るアンテナ用コイル装置に形成される溝部の形状を説明する樹脂部材の平面図である。（ｂ）,（ｄ）は、アンテナ用コイル装置に形成される溝部の形状を説明する樹脂部材の断面図である。
【図９】従来のアンテナ用コイル装置を示した構成図である。
【符号の説明】
【００５６】
１  受信システム、２  リアウィンドウ、３ａ，３ｂ  バスバー、４  バッテリ、５  テレビアンテナ線、６，７  増幅器、９  ラジオアンテナ線、１０  アンテナ用コイル装置、１３  コネクタ端子、１４  実装端子、１５  樹脂部材、１６  巻線コイル、１７  磁性コア、１９  載置面、２０  リアピラー、２１  リアピラー用内装パネル、２４，２４Ａ  樹脂、２５，２５Ａ  溝部、２７  樹脂導入部、４０，５０，５５  アンテナ用コイル装置
【図１】
2009118270.tif 000003
【図２】
2009118270.tif 000004
【図３】
2009118270.tif 000005
【図４】
2009118270.tif 000006
【図５】
2009118270.tif 000007
【図６】
2009118270.tif 000008
【図７】
2009118270.tif 000009
【図８】
2009118270.tif 000010
【図９】
2009118270.tif 000011